(57)【要約】【課題】並べたブロックの高さを揃え、ブロックの倒れ込みを防止し、畦がカーブしていても設置可能な畦保護用ブロック及び畦の保護方法を提供する。【解決手段】この畦保護用ブロック１０は、側面ブロック２０と上面ブロック４０とを備え、側面ブロック２０は底部２１と立壁部２２とを有し、立壁部２２の幅方向一端面の厚さ方向一側から第１突出部２４が突出し、他側が第１へこみ部２８をなし、幅方向他端面の厚さ方向一側が第２へこみ部２８をなし、他側から第２突出部２９が突出し、第２へこみ部２８の下端に支持面３２が形成され、立壁部２２の上端面には、厚さ方向の畦側から第３突出部３４が突出し、畦外側に第３へこみ部３５設けられており、前記上面ブロック４０の畦外側縁部から下方に突部４２が突出し、該突部４２が立壁部２２の第３へこみ部３５に嵌合するように構成されている。【選択図】図６
2012021330.tif 000002
【特許請求の範囲】
【請求項１】
畦の側面に配設される側面ブロックと、畦の上面に配設される上面ブロックとを備えた畦保護用ブロックにおいて、
前記側面ブロックは、底部と、該底部に対して畦側に向けて傾斜して立設された立壁部とを有し、前記底部は前記立壁部に対して畦側に突出して前記側面ブロックを自立可能にしており、
前記立壁部の幅方向両端面には、厚さ方向の一側が突出し、他側がへこんで段部が設けられ、前記突出部とへこみ部との位置は、幅方向両端面において反対となっており、前記へこみ部の下端には前記底部による支持面が形成されており、
前記立壁部の上端面には、厚さ方向の畦側が突出し、畦外側がへこんで段部が設けられており、
前記上面ブロックの畦外側に配置される縁部には、下方に突出する突部が設けられていて、該突部が前記立壁部の上端面のへこみ部に嵌合するように構成されていることを特徴とする畦保護用ブロック。
【請求項２】
前記側面ブロックの少なくとも前記底部は、その両端面が畦側に向けて幅狭になる斜面をなしている請求項１記載の畦保護用ブロック。
【請求項３】
前記上面ブロックには、該上面ブロックを貫通させて畦の上部に突き刺す杭を挿通させるための孔が設けられている請求項１又は２記載の畦保護用ブロック。
【請求項４】
前記上面ブロックの畦の経路方向に向いた両端面には、厚さ方向の一側が突出し、他側がへこんで段部が設けられ、突出部とへこみ部との位置は、上記両端面において反対となっている請求項１〜３のいずれか１つに記載の畦保護用ブロック。
【請求項５】
請求項１〜４のいずれか１つに記載の畦保護用ブロックを用いて畦を保護する方法であって、隣接する側面ブロックどうしの幅方向両端面に形成された一方の突部を他方のへこみ部に嵌合させると共に、一方の突部の下端面を他方の底部による支持面に乗せて配置することにより、畦の側面に沿って前記側面ブロックを並べて設置し、該側面ブロックの底部周辺を土盛りして固める側面ブロック設置工程と、前記上面ブロックの畦外側に配置される縁部に設けられた突部を、隣接する２つの側面ブロックの立壁部の上端面のへこみ部に嵌合するように、前記上面ブロックを前記畦の上面に沿って設置する上面ブロック設置工程とを含むことを特徴とする畦の保護方法。
【発明の詳細な説明】
【技術分野】
【０００１】
本発明は、畦を保護するための畦保護用ブロック、及び、該畦保護用ブロックを用いた畦の保護方法に関する。
【背景技術】
【０００２】
通常、複数の田端の境界には畦が設けられている。この畦は、スキやクワ等で泥や土を土手のように盛り固めて作られるが、重労働であるため、畦作り専用の装置をトラクター等に取付けて、畦作りをすることもある。
【０００３】
しかし、上記トラクター等は高価でありレンタル料も高額なので、コストがかさむというデメリットがある。また、畦は、その側面や上面から雑草が生えたり、モグラやザリガニ等により孔が開けられたりすることも多いので、毎年作り直す必要があり、手間暇がかかっていた。更に、夏場になると、畦には雑草が生い茂りやすく、作物の成長に悪影響を与える虞れがあるが、夏場の草刈りは重労働であった。
【０００４】
上記問題に対応するため、下記特許文献１には、田の畦の一側壁を適宜長さ覆う立壁部と、該立壁部の下端から略水平に延設され田の土に据付け状態で配置される据え付け部とを備え、前記立壁部の一側端厚み面に上端から下端まで突条部を有し、かつ前記立壁部の他側端厚み面に上端から下端まで前記突条部形状を嵌合可能な凹条部を有していることを特徴とする畦保護ブロックが記載されている。
【０００５】
上記畦ブロックを、畦に設置する際には、畦の底面に据え付け部を載置し、畦の一側壁を立壁部で覆うようにして配置する。そして、この畦ブロックに隣接して他の畦ブロックを配置し、立壁部一側の突条部と立壁部他側の凹条部とを嵌合させることにより、隣接する畦ブロックどうしが接続されるようになっている。
【０００６】
また、畦の上面には、別の形態の畦ブロック（以下、「上面ブロック」という）が載置されるようになっている。この上面ブロックは、前記畦ブロックと同様に、立壁部と、据え付け部とを有している。そして、立壁部を水平にして畦上面に載置すると共に、据え付け部を、前記畦ブロックの立壁部上方及び畦の一側壁上方の間に配置にすることにより、上面ブロックが設置される。
【先行技術文献】
【特許文献】
【０００７】
【特許文献１】特開平１１−２８００４６号公報
【発明の概要】
【発明が解決しようとする課題】
【０００８】
上記特許文献１記載の畦ブロックにおいては、隣接するブロックどうしが突条部及び凹条部により凹凸嵌合して接続されている。しかしながら、各畦ブロックの突条部及び凹条部は、立壁部の上端から下端に至るまで形成されているので、畦の底面が軟らかい場合には、特定の畦ブロックが沈み込むことがあり、複数並べた畦ブロックの高さを揃えることは難しい。
【０００９】
また、畦ブロックは、上面ブロックの据え付け部に、畦ブロックの立壁部の上部裏面が接するように設置される。しかし、上面ブロックに荷重がかかって、側面から畦ブロックが押されると、畦ブロックが倒れてしまう可能性がある。
【００１０】
更に、畦は直線的に形成されるとは限らず、曲面状にカーブしている場合もある。しかしながら、上記特許文献１の畦ブロックでは、畦のカーブに沿ってブロックを配置しようとすると、凹条部に対して突条部が斜めに入り込む必要があるので、凹条部に突条部を差し込みにくくなり、両ブロック間に大きな隙間が生じたり、ブロック間の連結力が低下したりする等というデメリットが生じる。
【００１１】
したがって、本発明の目的は、複数並べたブロックの高さを揃えることができると共に、畦側面に配置されるブロックの畦外側への倒れ込みを防止し、更に畦がカーブしていても隙間なく設置することができる、畦保護用ブロック及び畦の保護方法を提供することにある。
【課題を解決するための手段】
【００１２】
上記目的を達成するため、本発明の畦保護用ブロックは、畦の側面に配設される側面ブロックと、畦の上面に配設される上面ブロックとを備えた畦保護用ブロックにおいて、前記側面ブロックは、底部と、該底部に対して畦側に向けて傾斜して立設された立壁部とを有し、前記底部は前記立壁部に対して畦側に突出して前記側面ブロックを自立可能にしており、前記立壁部の幅方向両端面には、厚さ方向の一側が突出し、他側がへこんで段部が設けられ、前記突出部とへこみ部との位置は、幅方向両端面において反対となっており、前記へこみ部の下端には前記底部による支持面が形成されており、前記立壁部の上端面には、厚さ方向の畦側が突出し、畦外側がへこんで段部が設けられており、前記上面ブロックの畦外側に配置される縁部には、下方に突出する突部が設けられていて、該突部が前記立壁部の上端面のへこみ部に嵌合するように構成されていることを特徴とする。
【００１３】
上記発明によれば、側面ブロックは、底部と該底部に対して畦側に傾斜した立壁部を有し、底部は、立壁部に対して畦側に突出して側面ブロックを自立可能にしているので、畦の側面に沿って側面ブロックを自立させて容易に配置することができる。また、立壁部が畦側に傾斜しているので、側面ブロックが畦外側に倒れにくくすることができる。
【００１４】
また、立壁部の幅方向両端面には、厚さ方向の一側が突出し、他側がへこんで段部が設けられ、突出部とへこみ部との位置は、幅方向両端面において反対となっており、へこみ部の下端には底部による支持面が形成されているので、隣接する側面ブロックどうしの幅方向突き合わせ面に形成された一方の突出部を他方のへこみ部に嵌合させると共に、一方の突出部の下端面を他方の底部による支持面に乗せて配置することができ、側面ブロックどうしを隙間無く並べて防草効果を高めると共に、隣接するブロックどうしの高さを合わせやすくすることができる。
【００１５】
更に、隣接する側面ブロックの突部とへこみ部とを嵌合させた状態で、両側面ブロックの平面的に見た突き合わせ角度を変化させることができ、畦がカーブしている場合でも柔軟に対応することができる。
【００１６】
更にまた、上面ブロックの畦外側に配置される縁部に設けられた突部を、前記立壁部の上端面のへこみ部に嵌合させることにより、上面ブロックと立壁部との隙間を無くして、更に防草効果を高めると共に、側面ブロックが畦外側に倒れることをより確実に防止することができる。このように防草効果が高いので、夏場に草刈りを行う必要がなくなり、労力を著しく軽減することができる。
【００１７】
本発明の畦保護用ブロックにおいては、前記側面ブロックの少なくとも前記底部は、その両端面が畦側に向けて幅狭になる斜面をなしていることが好ましい。これによれば、畦がカーブしていて、施工すべき側面が該カーブの凸側となっている場合、側面ブロックの底部が畦側に向けて幅狭の斜面をなしているので、隣接する側面ブロックどうしの幅方向両端面に形成された一方の突部を他方のへこみ部に嵌合させた状態で、両側面ブロックの平面的に見た突き合わせ角度を該カーブに適合するように調整することができ、カーブにおいても、側面ブロックどうしの間に隙間が生じるのを防ぐことができる。
【００１８】
本発明の畦保護用ブロックにおいては、前記上面ブロックには、該上面ブロックを貫通させて畦の上部に突き刺す杭を挿通させるための孔が設けられていることが好ましい。これによれば、上面ブロックに設けられた孔を通して、杭を畦の上部に突き刺しておくことにより、上面ブロックの位置ずれを防止して、側面ブロックの畦外側への倒れ込みをより確実に防ぐことができる。その結果、田んぼの作業の際に、上面ブロックの上を安心して歩行できる。
【００１９】
本発明の畦保護用ブロックにおいては、前記上面ブロックの畦の経路方向に向いた両端面には、厚さ方向の一側が突出し、他側がへこんで段部が設けられ、突出部とへこみ部との位置は、上記両端面において反対となっていることが好ましい。これによれば、隣接する上面ブロックどうしの両端面に形成された一方の突部を他方のへこみ部に嵌合させて配置することができ、上面ブロックどうしを隙間無く並べて防草効果を高めることができる。
【００２０】
一方、本発明の畦の保護方法は、上記の畦保護用ブロックを用いて畦を保護する方法であって、隣接する側面ブロックどうしの幅方向両端面に形成された一方の突部を他方のへこみ部に嵌合させると共に、一方の突部の下端面を他方の底部による支持面に乗せて配置することにより、畦の側面に沿って前記側面ブロックを並べて設置し、該側面ブロックの底部周辺を土盛りして固める側面ブロック設置工程と、前記上面ブロックの畦外側に配置される縁部に設けられた突部を、隣接する２つの側面ブロックの立壁部の上端面のへこみ部に嵌合するように、前記上面ブロックを前記畦の上面に沿って設置する上面ブロック設置工程とを含むことを特徴とする。
【００２１】
上記発明によれば、本発明の畦保護用ブロックを用いて、比較的容易な作業で、畦の側面及び上面を覆って保護することができる。その際、隣接する側面ブロックどうしの幅方向両端面に形成された一方の突部を他方のへこみ部に嵌合させると共に、一方の突部の下端面を他方の底部による支持面に乗せて配置することができ、側面ブロックどうしを隙間無く並べて防草効果を高めると共に、隣接するブロックどうしの高さを合わせやすくすることができる。
【００２２】
また、上面ブロックの畦外側に配置される縁部に設けられた突部を、隣接する２つの側面ブロックの立壁部の上端面のへこみ部に嵌合するように、前記上面ブロックを前記畦の上面に沿って設置することにより、側面ブロックと上面ブロックとの連結力を高めることができ、強度をより高めることができる。
【発明の効果】
【００２３】
本発明によれば、隣接する側面ブロックどうしの幅方向両端面に形成された一方の突出部を他方のへこみ部に嵌合させると共に、一方の突出部の下端面を他方の底部による支持面に乗せて配置することができ、側面ブロックどうしを隙間無く並べて防草効果を高めると共に、隣接するブロックどうしの高さを合わせやすくすることができる。
【００２４】
更に、隣接する側面ブロックの突部とへこみ部とを嵌合させた状態で、両側面ブロックの平面的に見た突き合わせ角度を変化させることができ、畦がカーブしている場合でも柔軟に対応することができる。
【００２５】
更にまた、上面ブロックの畦外側に配置される縁部に設けられた突部を、前記立壁部の上端面のへこみ部に嵌合させることにより、上面ブロックと立壁部との隙間を無くして、更に防草効果を高めると共に、側面ブロックが畦外側に倒れることをより確実に防止することができる。
【図面の簡単な説明】
【００２６】
【図１】本発明の畦保護用ブロックの一実施形態を示しており、同畦保護用ブロックを構成する側面ブロックの斜視図である。
【図２】同畦保護用ブロックを構成する上面ブロックの斜視図である。
【図３】（ａ）は側面ブロックの平面図、（ｂ）は畦の側面に沿って、複数の側面ブロックを並べて設置した状態を示す平面図である。
【図４】畦保護用ブロックの設置工程を示しており、（ａ）は第１設置工程の説明図、（ｂ）は第２設置工程の説明図、（ｃ）は第３設置工程の説明図である。
【図５】畦保護用ブロックの設置工程を示しており、（ａ）は第４設置工程の説明図、（ｂ）は第５設置工程の説明図である。
【図６】畦に畦保護用ブロックを設置した状態を示す斜視図である。
【図７】畦に畦保護用ブロックを設置した状態を示しており、図６とは上面ブロックの配置位置を変えた場合での斜視図である。
【図８】畦がカーブしている場合の側面ブロックの設置状態を示しており、（ａ）は凸状をなした畦の側面に側面ブロックを設置したときの説明図、（ｂ）は凹状をなした畦の側面に側面ブロックを設置したときの説明図である。
【発明を実施するための形態】
【００２７】
以下、図面を参照して、本発明の畦保護用ブロック及び畦の保護方法の一実施形態について説明する。
【００２８】
まず、畦保護用ブロックについて説明する。図６に示すように、この畦保護用ブロック１０は、畦１の側面２に配設される側面ブロック２０と、畦１の上面３に配設される上面ブロック４０とを備えている。
【００２９】
図１を参照すると、この実施形態における側面ブロック２０は、一方向に長く伸びる板状をなし、畦１の底面５（図４参照）に配置される底部２１と、この底部２１の、畦１の側面２から遠い長手方向一側縁から、畦側に向けて傾斜して立設された立壁部２２とを有し、底部２１は立壁部２２に対して畦側に突出して、側面ブロック２０を自立可能としている。
【００３０】
図１及び図３（ａ）に示すように、立壁部２２の幅方向一端面には、厚さ方向の畦外側から第１突出部２４が突出し、厚さ方向の畦側がへこんで第１へこみ部２５をなし、両者の間に第１段部２６が設けられている。
【００３１】
なお、「畦外側」とは、畦１の側面２から離れた側を意味し、「畦側」とは、畦１の側面２に近い側を意味しており、以下の説明においても同様である。
【００３２】
一方、立壁部２２の幅方向他端面には、厚さ方向の畦外側がへこんで第２へこみ部２８をなし、厚さ方向の畦側から第２突出部２９が突出して、両者の間に第２段部３０が設けられている。また、前記第２へこみ部２８の下端は、底部２１に突き当たり、ここに支持面３２が形成されている。
【００３３】
このように、突出部２４，２９とへこみ部２５，２８との位置は、幅方向両端面において反対となっている。なお、上記形態とは逆に、立壁部２２の幅方向一端面（図１中の左側端面）の畦外側をへこませ、畦側を突出させると共に、幅方向他端面（図１中の右側端面）の畦外側を突出させ、畦側をへこませてもよい。
【００３４】
また、図１及び図３（ａ）に示すように、底部２１の両端面と、立壁部２２の両端面（第１突出部２４、第１へこみ部２５、第２へこみ部２８、第２突出部２９）は、平面的に見て、畦側に向けて次第に幅狭になる斜面をなしている。なお、底部２１の両端面だけが上記のような斜面をなしていてもよい。また、底部２１の両端面の斜面は、両端面の途中から畦側に向けて斜面をなしていてもよい。
【００３５】
更に、立壁部２２の上端面には、厚さ方向の畦側が突出して第３突出部３４をなしており、厚さ方向の畦外側がへこんで第３へこみ部３５をなし、両者の間に第３段部３６が設けられている。
【００３６】
一方、畦１の上面３に載置される上面ブロック４０は、図２に示すように、前記側面ブロック２０に適合する幅の板状をなし、その畦外側に配置される縁部には、下方に向けて突部４２が突出し、この突部４２が、前記側面ブロック２０の立壁部２２上端の第３へこみ部３５に嵌合するようになっている。
【００３７】
また、上面ブロック４０の、畦１の経路方向に向いた一端面には、厚さ方向の一側（上半部）から第４突出部４４が突出し、厚さ方向の他側（下半部）がへこんで第４へこみ部４５をなし、両者の間に第４段部４６が設けられている。
【００３８】
一方、上面ブロック４０の、畦１の経路方向に向いた他端面には、厚さ方向の一側（上半部）がへこんで第５へこみ部４８をなし、厚さ方向の他側（下半部）から第５突出部４９が突出し、両者の間に第５段部５０が設けられている。
【００３９】
すなわち、この上面ブロック４０においても、前記側面ブロック２０と同様に、突出部４４，４９とへこみ部４５，４８との位置は、幅方向両端面において反対となっている。なお、上記形態とは逆に、上面ブロック４０の一端面（図２中の左側端面）上半部をへこませ、下半部を突出させると共に、他端面（図２中の右側端面）上半部を突出させ、下半部をへこませてもよい。
【００４０】
また、上面ブロック４０の、突部４２とは離れた側部の幅方向中央には、畦１の上部に突き刺すための杭７（図５参照）を挿通させるための孔５２が形成されている。
【００４１】
以上の側面ブロック２０及び上面ブロック４０は、例えば、セメント、砂利、砂、水、混和剤等を混練してなるコンクリート材料によって製造することができる。
【００４２】
次に、本発明の畦保護用ブロック１０を用いて行われる、本発明の畦の保護方法について説明する。本発明の畦の保護方法は、側面ブロック設置工程と、上面ブロック設置工程とを含むものである。
【００４３】
始めに側面ブロック設置工程について説明すると、図４（ａ）に示すように、田畑の境界に設けられた畦１の側面２外側に、側面ブロック設置用の穴６を掘って、土Ｍを穴６の側部に盛り上げておくと共に、畦１の上面３を平らにならしておく。
【００４４】
そして、側面ブロック２０の底部２１を畦１の底面５に載置し、立壁部２２を畦１の側面２外側に位置させて（図４（ｂ）参照）、所定の側面ブロック２０を畦１に配置する。このとき、この側面ブロック２０においては、その底部２１が立壁部２２に対して畦側に突出し、立壁部２２が畦側に傾斜して、側面ブロック２０を自立可能にしているので、畦１の側面２に沿って側面ブロック２０を自立させて容易に配置することができる。また、立壁部２２が、底部２１に対して畦側に傾斜しているので、側面ブロック２０が畦外側に倒れにくくすることができる。
【００４５】
次いで、畦１に配置した側面ブロック２０の第２へこみ部２８に、他の側面ブロック２０の第１突出部２４を嵌合させ、この第１突出部２４の下端面を前記側面ブロック２０の支持面３２に乗せて、他の側面ブロック２０を配置する（図６の部分拡大図参照）。この作業を繰り返し、畦１の側面２に沿って複数の側面ブロック２０を並べて設置する（図３（ｂ）及び図６参照）。
【００４６】
このとき、この側面ブロック２０の立壁部２２の幅方向両端面には、厚さ方向一側から第１突出部２４及び第２突出部２９が突出し、厚さ方向他側がへこんで第１へこみ部２５及び第２へこみ部２８をなし、第２へこみ部２８の下端に支持面３２が形成されているので（図１参照）、隣接する側面ブロックどうしの第１突出部２４を第２へこみ部２８に嵌合させると共に、第１突出部２４の下端面を支持面３２に乗せて配置することができ、隣接する側面ブロック２０，２０どうしを隙間無く並べて防草効果を高めると共に、隣接する側面ブロック２０，２０どうしの高さを合わせやすくすることができる。
【００４７】
上記のように、畦１の側面２に沿って複数の側面ブロック２０を並べて設置した後、図４（ｂ）に示すように、各側面ブロック２０の外側と穴６との間に土Ｍを充填し、側面ブロック２０の底部周辺を土盛して固めることにより、側面ブロック２０を動かないように設置する。
【００４８】
次いで、図４（ｃ）に示すように、各側面ブロック２０の立壁部２２の内側にも土Ｍを充填する。なお、土Ｍの充填前に、側面ブロック２０の内側面に沿って合成樹脂等からなるシート（例えば、ビニールシート）を配置して、このシートの内側に土Ｍを充填するようにしてもよい。この場合、側面ブロック２０及びその内側面のシートＳの両者によって、草の繁殖を防止して防草効果をより高めることができるだけでなく、漏水防止の効果をもたらすことができる。
【００４９】
次いで上面ブロック設置工程について説明する。すなわち、図５（ａ）に示すように、畦１の上面３に上面ブロック４０を載置して、その突部４２を側面ブロック２０の第３へこみ部３５に嵌合させて、畦１の上面３に上面ブロック４０を配置する。ここでは図６に示すように、側面ブロック２０の第２へこみ部２８の端面に対して、上面ブロック４０の第５突出部４９がやや突出し、同第２へこみ部２８の端面に第５へこみ部４８の端面がほぼ整合するように、上面ブロック４０を配置する。
【００５０】
このように、上面ブロック４０の突部を、側面ブロック２０の第３へこみ部３５に嵌合させることにより、上面ブロック４０と側面ブロック２０の立壁部２２との隙間を無くして、更に防草効果を高めると共に、側面ブロック２０が畦外側に倒れることをより確実に防止することができる。
【００５１】
すなわち、上面ブロック４０に大きな荷重がかかっても、側面ブロック２０によって沈み込みが防止され、側面ブロック２０に対して畦側面から強い圧力がかかっても、側面ブロック２０の第３へこみ部３５に、上面ブロック４０の突部４２が嵌合しているので、側面ブロック２０が畦外側に倒れることを防止できるのである。
【００５２】
そして、畦１の上面３に配置した上面ブロック４０の第５へこみ部４８に、他の上面ブロック４０の第４突出部４４を嵌合させて、第４突出部４４の下端面を第５段部５０に乗せて、他の上面ブロック４０を配置する。この作業を繰り返して、畦１の上面３に沿って複数の上面ブロック４０を並べて設置する（図６参照）。
【００５３】
上記のように、上面ブロック４０の第４突出部４４を、隣接する上面ブロック４０の第５へこみ部４８に嵌合させて配置することができるので、隣接する上面ブロック４０，４０どうしを隙間無く並べて防草効果を高めることができる。
【００５４】
その後、上面ブロック４０に設けられた孔５２に、合成樹脂等で形成され、軸部と該軸部の基端からフランジ状に広がる笠部（頭部）とを有する杭７を差し込んで、この杭７の笠部を木槌等で叩いて、孔５２を通して杭７を畦１の上部に突き刺すことで、上面ブロック４０の設置が完了する（図５（ｂ）参照）。
【００５５】
このように、上面ブロック４０の孔５２を通して、杭７を畦１の上部に突き刺しておくことにより、上面ブロック４０の位置ずれを防止して、側面ブロック２０の畦外側への倒れ込みをより確実に防ぐことができる。
【００５６】
以上のように、この畦の保護方法によれば、本発明に係る畦保護用ブロック１０を、上述した側面ブロック設置工程及び上面ブロック設置工程により設置することで、比較的簡単な作業で、畦１の側面２及び上面３を確実に覆って保護することができる。
【００５７】
なお、上記の上面ブロック設置工程では、側面ブロック２０の第２へこみ部２８の端面に第５へこみ部４８の端面が整合するように、上面ブロック４０を配置したが（図６参照）、次のように上面ブロック４０を設置してもよい。
【００５８】
例えば、図７に示すように、隣接する２つの側面ブロック２０，２０の各第３へこみ部３５，３５に亘って、上面ブロック４０の突部４２を嵌合するように、畦１の上面３に沿って複数の上面ブロック４０を並べて設置する。すなわち、隣接する２つの側面ブロック２０，２０との間に、上面ブロック４０が跨るように設置する。このように上面ブロック４０を設置することで、隣接する側面ブロック２０，２０と上面ブロック４０との連結力を高めることができ、強度をより高めることができる。
【００５９】
ところで、上述した実施形態では、畦１の側面２が直線状となっているが、畦１の側面２が曲面状にカーブしている場合もある。このような場合でも、この畦保護用ブロック１０では対応することができる。
【００６０】
図８（ａ）には、畦１がカーブしていて、その側面２がカーブの凸側となっている場合が示されている。そして、この実施形態における側面ブロック２０は、少なくとも底部２１の幅方向端面が畦側に向けて幅狭の斜面をなしている（図１及び図３（ａ）参照）。そのため、側面ブロック２０の第１突出部２４を隣接する側面ブロック２０の第２へこみ部２８に嵌合させた状態で、隣接する側面ブロック２０，２０の平面的に見た突き合わせ角度を、畦１の側面２のカーブに適合するように調整することができるので、畦１の側面２に沿って複数の側面ブロック２０を並べて設置することができ、カーブにおいても、側面ブロック２０，２０どうしの間に隙間が生じるのを最大限防止することができ、かつ、側面ブロック２０，２０間の連結力を維持することができる。
【００６１】
図８（ｂ）には、図８（ａ）とは反対側に畦１がカーブしている場合、すなわち、畦１の側面２がカーブの凹み側となっている場合が示されている。この場合も、側面ブロック２０の第１突出部２４を隣接する側面ブロック２０の第２へこみ部２８に嵌合させた状態で、隣接する側面ブロック２０，２０の平面的に見た突き合わせ角度を、畦１の側面２のカーブに適合するように適宜調整することで、畦１の側面２に沿って複数の側面ブロック２０を並べて設置することができ、ブロック２０，２０間の隙間を防止すると共に連結力を維持することができる。
【符号の説明】
【００６２】
１  畦
２  側面
３  上面
５  底面
６  穴
７  杭
１０  畦保護用ブロック
２０  側面ブロック
２１  底部
２２  立壁部
２４  第１突出部
２５  第１へこみ部
２６  第１段部
２８  第２へこみ部
２９  第２突出部
３０  第２段部
３２  支持面
３４  第３突出部
３５  第３へこみ部
３６  第３段部
４０  上面ブロック
４２  突部
４４  第４突出部
４５  第４へこみ部
４６  第４段部
４８  第５へこみ部
４９  第５突出部
５０  第５段部
５２  孔
Ｍ  土
【図１】
2012021330.tif 000003
【図２】
2012021330.tif 000004
【図３】
2012021330.tif 000005
【図４】
2012021330.tif 000006
【図５】
2012021330.tif 000007
【図６】
2012021330.tif 000008
【図７】
2012021330.tif 000009
【図８】
2012021330.tif 000010